(57)【特許請求の範囲】
【請求項１】
住宅内に設置され、所定範囲を撮像可能であり、撮像した画像を映像信号として出力するＴＶカメラと、
前記ＴＶカメラの撮像範囲、撮像方向を制御する制御部と、
前記映像信号を所定ホームページの画像としてインターネット経由で送信する送信部と、
外部からの制御信号を受信して前記制御部に制御信号を送る受信部と、
複数の音声情報をあらかじめ記録してある記録手段と、
前記記録されている複数の音声情報から所定の音声情報を外部から与えられる前記コマンドに応じた前記制御信号に応じて選択して読み出す手段と、
前記読み出された音声情報を再生する再生手段とを、
備えたモニタ設備設置住宅。
【請求項２】
住宅内の複数の部屋にそれぞれ設置され、それぞれが所定範囲を撮像可能であり、撮像した画像を映像信号として出力する複数のＴＶカメラと、
前記複数のＴＶカメラの撮像範囲、撮像方向を制御する制御部と、
前記複数のＴＶカメラの映像信号を時分割で切り換えるか、あるいは合成して単一の映像信号として所定ホームページの画像としてインターネット経由で送信する送信部と、
外部からのコマンド信号を受信して前記制御部に所定制御信号を送る受信部と、
複数の音声情報をあらかじめ記録してある記録手段と、
前記記録されている複数の音声情報から所定の音声情報を外部から与えられる前記コマンドに応じた前記制御信号に応じて選択して読み出す手段と、
前記読み出された音声情報を再生する再生手段とを、
備えたモニタ設備設置住宅。
【請求項３】
少なくとも１つの空調設備と、前記空調設備の設置された部屋の温度及び湿度を測定する温度・湿度測定手段と、
前記温度・湿度測定手段で測定した温度及び湿度のデータをインターネット経由で送信するために前記送信部に供給する手段と、
前記受信部で受信したコマンドが前記空調設備の制御に関するものであるときは、所定の制御信号を前記制御部を介してあるいは直接前記空調設備に送る手段とを、
有する請求項１又は２に記載のモニタ設備設置住宅。
【請求項４】
前記ＴＶカメラが音声をピックアップして前記映像信号と多重して出力するものである請求項１から３のいずれか１つに記載のモニタ設備設置住宅。
【発明の詳細な説明】
【０００１】
【発明の属する技術分野】
本発明は、住宅に関し、特に通信機能を利用して遠隔地から自宅等の情報を得ることができるモニタ設備設置住宅に関する。
【０００２】
【従来の技術】
一戸建てであれ、集合住宅であれ、留守中の自宅のセキュリティ確保のためには、これまで様々な技術が用いられている。従来の方式としては、自宅の状況をセンサなどによりモニタリングして、火災警報・ガス漏れ警報・非常通報・防犯警報などを発するものがある。また、オンラインセキュリティシステム（マンション管理会社や警備会社のシステム）に加入契約するなどして、モニタリングした情報が警備会社に通報され、警備員などが火災・不審者の侵入などに対応するものがあった。
【０００３】
【発明が解決しようとする課題】
しかし、これらの従来の技術はいずれも留守中の自宅の状況に異常が生じたときに、セキュリティシステムにより対応するものであり、したがって、対応はあくまで事後の対応であった。すなわち、例えばガスコンロのガスを付けっぱなしの状況のとき、従来のシステムでは、ガスコンロの周囲が加熱されて煙がでたり、温度が異常に高くなって初めて警報が発せられるのであり、ガスコンロの消し忘れ自体を認識するものではなかった。また、従来のセキュリティシステムは、居住者自身により様々な状況を随時確認できるものではないので、勤務中や旅行中などに子供やお年寄りあるいは病人などの状況やキッチンの火元、ペットの状況などについて予想される精神的な不安要素を抱えざるを得ず、場合によっては火災その他の事故が発生したり、ペットが死亡したりするケースがあった。また、外出先から本人が留守中の自宅の子供やペットの姿を見たいといった居住者の愛情・愛玩行為などの心理的欲求を満たすことができず、帰宅まで待たざるを得なかった。
【０００４】
したがって、本発明は外出先から自宅の様子を随時画像にて確認することができるモニタ設備を備えた住宅を提供することを目的とする。
【０００５】
【課題を解決するための手段】
上記目的を達成するため、本発明では住宅内にＴＶカメラを設置し、ＴＶカメラの撮像範囲、撮像方向を外部信号により制御可能とし、かつ撮像して得られた映像信号を所定ホームページの画像としてインターネット経由で送信するようにしたものである。
【０００６】
すなわち本発明によれば、住宅内に設置され、所定範囲を撮像可能であり、撮像した画像を映像信号として出力するＴＶカメラと、
前記ＴＶカメラの撮像範囲、撮像方向を制御する制御部と、
前記映像信号を所定ホームページの画像としてインターネット経由で送信する送信部と、
外部からの制御信号を受信して前記制御部に制御信号を送る受信部と、
複数の音声情報をあらかじめ記録してある記録手段と、
前記記録されている複数の音声情報から所定の音声情報を外部から与えられる前記コマンドに応じた前記制御信号に応じて選択して読み出す手段と、
前記読み出された音声情報を再生する再生手段とを、
備えたモニタ設備設置住宅が提供される。
【０００７】
また本発明によれば、住宅内の複数の部屋にそれぞれ設置され、それぞれが所定範囲を撮像可能であり、撮像した画像を映像信号として出力する複数のＴＶカメラと、
前記複数のＴＶカメラの撮像範囲、撮像方向を制御する制御部と、
前記複数のＴＶカメラの映像信号を時分割で切り換えるか、あるいは合成して単一の映像信号として所定ホームページの画像としてインターネット経由で送信する送信部と、
外部からのコマンド信号を受信して前記制御部に所定制御信号を送る受信部と、
複数の音声情報をあらかじめ記録してある記録手段と、
前記記録されている複数の音声情報から所定の音声情報を外部から与えられる前記コマンドに応じた前記制御信号に応じて選択して読み出す手段と、
前記読み出された音声情報を再生する再生手段とを、
備えたモニタ設備設置住宅が提供される。
【０００８】
また、少なくとも１つの空調設備と、前記空調設備の設置された部屋の温度及び湿度を測定する温度・湿度測定手段と、
前記温度・湿度測定手段で測定した温度及び湿度のデータをインターネット経由で送信するために前記送信部に供給する手段と、
前記受信部で受信したコマンドが前記空調設備の制御に関するものであるときは、所定の制御信号を前記制御部を介してあるいは直接前記空調設備に送る手段とを、
有することは本発明の好ましい態様である。
また、前記ＴＶカメラが音声をピックアップして前記映像信号と多重して出力するものであることは本発明のさらに好ましい態様である。
【００１０】
【発明の実施の形態】
以下、図面を参照して本発明の好ましい実施の形態について説明する。図１は本発明に係るモニタ設備設置住宅の好ましい実施の形態を模式的に示すとともに、本発明によるモニタリングの構成を説明する概念図である。
【００１１】
図１において、モニタ設備設置住宅１０には、複数の部屋があるが、そのうち子供部屋１２とペットルーム１４のみが示されている。これらの部屋１２、１４の天井には、駆動装置２６、２８にそれぞれ載置されたＴＶカメラ２２、２４が取り付けられている。駆動装置２６、２８はＴＶカメラ２２、２４を３６０度回転させたり、所定回転位置で水平から垂直の間の所定角度に制御する機能、並びにズーム機能を有している。これらの制御はインターフェイス（Ｉ／Ｆ）２０からハブ１６を介して与えられる制御信号によりなされる。なお、ＴＶカメラ２２、２４又は駆動装置２６、２８に制御信号を送り、フォーカス制御などを行うようにすることもできる。
【００１２】
各ＴＶカメラ２２、２４の出力信号は、ハブ１６を介してインターフェイス（Ｉ／Ｆ）２０に与えられる。インターフェイス（Ｉ／Ｆ）２０では、２つのＴＶカメラ２２、２４からの映像信号を時分割多重したり、あるいは複数画面を合成して１つの画像の信号としたりして送出することができる。インターフェイス（Ｉ／Ｆ）２０は、ハブ１６から与えられる映像信号を電話回線や図示省略のプロバイダなどを経由してインターネット３０に送出する。なお、インターフェイス（Ｉ／Ｆ）２０は、インターネット３０を経由して外部から与えられるコマンド信号を受信してハブ１６に制御信号を与える機能をも有している。なお、ハブ１６とインターフェイス（Ｉ／Ｆ）２０の代わりに、これらの機能と簡単なパソコン機能を有する装置としての、例えばキャノン（株）製のネットワークカメラサーバＶＢ  １０１型を用いることができる。
【００１３】
インターネット３０には、いまパソコン３２、携帯電話３４、次世代携帯電話３６が接続されているものとする。ここで携帯電話３４としては、例えばＩモード（登録商標）と呼ばれるインターネットアクセス機能を有するものを用いる。次世代携帯電話３６としては、例えばＮＴＴドコモ社のＩＭＴ−２０００と称される現行の携帯電話より約４０倍高速通信が可能なものを用いることができる。なお、インターネット３０への接続は、アナログ公衆回線、ＩＳＤＮ、ＡＤＳＬ、光ケーブルによるブロードバンド回線などを用いることができる。
【００１４】
本発明のモニタ設備設置住宅並びに図１に示したシステムは次のように動作する。例えば、自宅１０に幼児とペットがそれぞれ子供部屋１２とペットルーム１４にいる状態で当該自宅の居住者が勤務先にて勤務しているものとする。当該居住者は、勤務先で仕事に使用しているパソコン３２を用いて自宅のホームページにアクセスし、ＴＶカメラ２２、２４が撮像した画像を見ることができる。このとき、自宅の画像を小さなウインドウーで表示しておけば、仕事を中断することなくリアルタイムで自宅の状況をモニタリングすることができる。
【００１５】
なお、画像のみならず音声のモニタリングも可能である。すなわち、ＴＶカメラ２２、２４に付属のマイクロフォンで拾った音声の信号を画像信号と合成することにより容易に伝送できる。また、自宅の音声を遠隔地で聴くのではなく、子供やペットに話しかけるよう構成することができる。この場合、直接話しかけた言葉の音声を送信することもできるし、あらかじめパターン化された複数種類の音声メッセージを記録しておき、外部からのコマンドにより所望のメッセージを選択して再生するようにしてもよい。
【００１６】
図２は、本発明の他の実施の形態を示す模式図である。図２では、ハブが用いられているが、これは、各部屋にインターネット回線を配線するためのものであり、複数のカメラを接続するだけであれば、ハブは省略してカメラサーバから分岐するよう構成できる。図２の例では、カメラサーバからキッチンのＴＶカメラ、子供部屋のＴＶカメラ、特定の空間のＴＶカメラの３台のＴＶカメラが接続されている。なお、特定の空間には、遠隔操作対応エアコンが取り付けられ、外部からのコマンドに従って、温度、湿度、換気などの制御を行うことができる。
【００１７】
以上説明したように本発明では、住宅内の特定の空間（子供部屋・ペットルームなど、原則として撮影対象（子供・介護老人・ペットなど、以下撮影対象という）が構造上他の空間に移動できない空間）にカメラを設置し、特定の空間内における撮影対象をカメラで撮影、遠隔監視することができる。また、当該空間には原則として遠隔操作対応エアコンを設置するものとし、当該エアコンの性能等については以下のものとする。なお、当該空間の付属設備として、外出先の居住者が当該空間の撮影対象に対し、音声等による呼びかけができる設備（通常の留守番電話を応用し、留守番メッセージで撮影対象に対し呼びかけできる電話など）も設置することができる。
【００１８】
遠隔操作対応エアコンとしては、三菱重工製の「インターネットエアコン」と称する製品を利用することができる。その遠隔操作概要は、次のとおりである。居住者が外出先より携帯電話のメールを利用して自宅のエアコンを電話回線を通して運転、停止などの操作ができる。なおメールを受信することにより設定温度、室内温度、設定湿度、室内湿度、換気運転状態、設定風量がわかるため、受信メールで部屋の状況を確認してからエアコンの遠隔操作を行うことが可能である。空調機能としては、通常の機能に加え、換気機能があり、汚れた空気を強制排出することが可能である。
【００１９】
かかる遠隔操作対応エアコンを用いると、本発明の基本的なモニタリングである、子供、介護老人、ペットなどの行動予測が難しい撮影対象をほぼ確実に撮影することができるという基本性能に加えて、エアコンの遠隔操作を行うことで外出先から快適な環境を維持できるだけでなく、換気機能を生かし、外出先から部屋を締め切った状態で換気をしたり（ペットなどの逃亡防止）、ペットの臭気、アンモニアなどを強制排出したりできる。さらに、外出先より撮影対象に対し音声などにより呼びかけることにより（特に子供・ペットなど）、その反応から体調の判断をしたり、愛情・愛玩表現を楽しむことができる。
【００２０】
また前記に加え、ペット専用の特定の空間とすることを考慮し、床材をペット対応のフローリング（傷がつかないもの）や汚れた部分のみを簡単に取替え可能なタイルカーペットを使うこととし、また壁部のクロスについては腰下部分のみ腰上部分とは別素材として汚れやすい腰下部分のみを容易に張替え可能にしたり、コンセントやドアノブをペットにいたずらされないよう高い位置に設置したり、ペットの首輪のひもを一時固定するためのリードフックを設置するなどのペットに配慮した特定の空間とすることも可能である。
【００２１】
【発明の効果】
以上説明したように本発明によれば、外出先から自宅の様子を随時画像にて確認することができる。また、外部からのコマンドによりあらかじめ記録してある音声メッセージを選択して再生して、留守宅の子供やペットに聴かせることができる。このように本発明によれば高速伝送インターネット対応住宅のデータ伝送能力を生かし、ＷＥＢカメラ（画像をインターネット処理できるカメラ、以下、カメラという）を導入することで、居住者が自宅留守中のキッチン（火元）、子供部屋、介護老人、ペット、玄関ドア（鍵の施錠）などのさまざまな状況を外出先からスムーズなカラー動画（または静止画）で確認し、居住者単位の意思で自宅を随時管理することで、不安要素を早期発見し居住者の日常生活における安心感を高め、また子供やペットの姿を見たいといった居住者の愛情・愛玩行為などの要求に対応するなどの効果をもたらす住宅を供給する。また、接続による維持費は常時接続で月額約３，０００円程度（電気代を除く）と一般家庭において導入しやすい。
【図面の簡単な説明】
【図１】本発明に係るモニタ設備設置住宅の好ましい実施の形態を模式的に示すとともに、本発明によるモニタリングの構成を説明する概念図である。
【図２】本発明の他の実施の形態を示す模式図である。
【符号の説明】
１０  モニタ設備設置住宅
１２  子供部屋
１４  ペットルーム
１６  ハブ
２０  インターフェイス（Ｉ／Ｆ）
２２、２４  ＴＶカメラ
２６、２８  駆動装置
３０  インターネット
３２  パソコン
３４  携帯電話
３６  次世代携帯電話
【図１】
0003616043.tif 000002
【図２】
0003616043.tif 000003